(57)【特許請求の範囲】
【請求項１】
物品取得ゲーム装置の展示室を棒体で構成する物品配置部材に用いる連結棒体であって、
前記連結棒体は、複数の棒体と、該棒体を直列に連結する連結部と、を備え、
前記連結部は、前記連結した互いの棒体の成す角度を任意に変更可能な第１の回動機構と、
前記連結棒体の連結した各棒体の軸心を中心に回動可能な第２の回動機構と、
を有し、
さらに前記連結棒体の両端に設けたクランプ体と、
から構成され、
前記連結棒体を２本平行に、前記クランプ体で前記展示室を構成する他の棒体に固定して、前記平行に固定した連結棒体間に載置領域材を設けることを特徴とする連結棒体。
【請求項２】
展示室を棒体で構成する物品配置部材に用いる連結棒体を有する物品取得ゲーム装置であって、
前記連結棒体は、複数の棒体と、該棒体を直列に連結する連結部と、を備え、
前記連結部は、前記連結した互いの棒体の成す角度を任意に変更可能な第１の回動機構と、
前記連結棒体の連結した各棒体の軸心を中心に回動可能な第２の回動機構と、
を有し、
さらに前記連結棒体の両端に設けたクランプ体と、
から構成され、
前記連結棒体を２本を平行に、前記クランプ体で前記展示室を構成する他の棒体に固定して、前記平行に固定した連結棒体間に載置領域部材を設ける、ことを特徴とする物品取得ゲーム装置。
【発明の詳細な説明】
【技術分野】
【０００１】
本発明は、２本のパイプ等の棒材のなす角度を所定の範囲内で変えて固定接続することができるジョイント体を備え、ジョイント体と２本のパイプ体の間にはパイプ体が軸方向に回動可能な回動構造を備え、前記２本のパイプ体の他端側には、他のパイプ体に固定するクランプ体を備えたパイプ構造体に関し、主として景品取得遊戯装置の景品展示室や、パイプ組立構造体に用いられる。
【背景技術】
【０００２】
本願出願人は物品取得ゲーム装置の物品収容部内のレイアウトが簡単にできる物品配置部として、枠体を支持部間に着脱可能に係合させ、枠体間に物品配備部材として棒状部材を架設するパイプ組み立て構造を取り入れて、物品を載置する物品配置部を様々なレイアウトが可能となるようにした。これにより、枠部材間に架設した棒状部材間に板状部材を取り付けることで、色々な物品配置の方法を提案している(例えば特許文献１参照。)。
【０００３】
他方、２本のパイプや棒材を、任意の角度にて連結するジョイント部材として、2本の単管パイプ相互を互いに段差を生じることなく接続でき、且つ角度での接続において縦パイプの一部を省略でき、しかも2本の単管パイプ相互を1つの単管ジョイントで一つの平面内で0度から180度までの任意の角度で容易に連結でき、またその平面を簡単に任意の方向に向けるようにした仮設資材がある。
【０００４】
この仮設資材は、単管パイプの端部を挿入係合する２個の基管部、各基管部の軸方向端面に回転連結部材を介して設けた連結部、重合した2個の連結部を回動自在に連結する連結部材とからなり、該連結部先端を基管部の外周よりも半径方向外側に延出し、該連結部材を、各基管部の外周と略等しい位置かそれよりも半径方向外側の位置に配置した単管ジョイトントを備えたものが提案されている（例えば特許文献２参照。）。
【先行技術文献】
【特許文献】
【０００５】
【特許文献１】国際公開ＷＯ２００５／０２５７０４号公報
【特許文献２】実用新案登録第３０３９６３６号公報
【発明の概要】
【発明が解決しようとする課題】
【０００６】
上述した特許文献１の方式では、枠部材間に架設した棒状部材の全長に沿って板状部材を取り付ける場合はよいが、正方形の板状部材のように棒状部材の一部にしか架からない場合では、物品獲得部が下降する際に、露出した棒状部材に当接してしまい、狙った物品に辿り着けないなど、甚だ不都合が発生するのであった。
【０００７】
特許文献２の単管ジョイントは、建設用仮設部材であり、仮囲いや足場等を角部を単管パイプで組立てる際に用いるもので、機能的には縦と横の単管パイプを任意の角度で連結するものであり、強度的に十分であれば、見た目は考慮されておらず、これを物品取得ゲーム装置のレイアウトに採用するにはジョイント部の連結部材が露出してしまい、単管パイプの挿入部の係止ピン等が物品と擦れ合って物品を損傷させる恐れがあるのである。
【０００８】
そこで、本発明では、物品獲得部が下降する際に棒状部材が邪魔にならないレイアウトが可能で、しかも物品と擦れ合っても物品を損傷させない、視覚的にもシンプルな物品配置部材を提案し、さらに物品配置部のレイアウトパターンを増やすことを目的としている。
【課題を解決するための手段】
【０００９】
本願発明では、上記の課題を解決するために、所定の第１の距離を保ち平行に配置された第１の棒体と第２の棒体間に、当該第1と第２の棒体が位置する面と同一平面上に前記第１の棒体と第２の棒体に直交して掛け渡した第３の棒体と、該第３の棒体から前記第１の距離を2以上の整数で割れる第２の略距離に保ち第３の棒体に平行に取り付けた第４の棒体から構成した骨組配置部を設ける。
そして前記第２の略距離を一辺とする方形板の裏面に棒体を固定する脚部を設け、平行する２本の棒体間に前記方形板を取り付ける物品配置部としてある。
【００１０】
この物品配置部には、少なくとも３本の棒体を直列に連結し、各棒体間には関節構造を有する連結棒体構造であって、前記関節構造は３本の棒体を同一直線上に連結するのみならず、隣り合う２本の連結した棒体の成す角度を任意に変えられる第１の回動機構を有し、さらに連結した各棒体を前記第１の回動機構に対し該棒体の軸心を中心に回動可能な第２の回動機構を備え、中央の棒体は前記方形板の1辺の長さに略等しく、両端の棒体の外端には該棒体に直交する同一径の棒体に固着可能なクランプ体を有し、両端の棒体のそれぞれの長さはクランプ体の固着中心までの距離が前記方形板の一辺の長さに略等しいパイプ連結構造体としてある。
【００１１】
本願発明は、上記の構成により、物品配置部の骨組みとして２本の折曲り可能なパイプ連結体を用いることにより、Ｖ字やＬ字状の配置が可能となり、さらに方形板を取り付けることで、物品配置部のレイアウトに多様性が出てくるのである。
【００１２】
さらに本発明では、上記の課題を解決するために、所定の第１の距離を保ち平行に配置された第１の棒体と第２の棒体間に、当該第１と第２の棒体が位置する面と同一平面上に前記第１の棒体と第２の棒体に直交して掛け渡した第３の棒体と、該第３の棒体から前記第１の距離を２以上の整数で割れる第２の略距離に保ち第３の棒体に平行に取り付けた第４の棒体から構成した骨組配置部を設ける。
そして前記第２の略距離を一辺とする方形板の裏面に棒体を固定する脚部を設け、平行する２本の棒体間に前記方形板を取り付ける物品配置部としてある。
【００１３】
この物品配置部は、少なくとも３本の棒体を直列に連結し、各棒体間には関節構造を有する連結棒体構造であって、前記関節構造は３本の棒体を同一直線上に連結するのみならず、隣り合う２本の連結した棒体の成す角度を任意に変えられる第１の回動機構を有し、さらに連結した各棒体を前記第１の回動機構に対し該棒体の軸心を中心に回動可能な第２の回動機構を備え、中央の棒体は前記方形板の1辺の長さに略等しく、両端の棒体の外端には該棒体に直交する同一径の棒体に固着可能なクランプ体を有し、両端の棒体のそれぞれの長さはクランプ体の固着中心までの距離が前記方形板の一辺の長さに略等しいパイプ連結構造体としてある。
【００１４】
本願発明は、上記の構成により、物品配置部の骨組みとして２関節構造を有する３本が連なったパイプ連結体を用いることにより、Ｚ字やＮ字状の配置が可能となり、さらに方形板を取り付けることで物品配置部のレイアウトに多様性が生じてくるのである。
【発明の効果】
【００１５】
本発明のパイプ連結体により、物品配置部の骨組みに自由度、応用性の高いレイアウトが可能となり、物品配置部のセッティング時間も短縮できるとともに、物品載置板を支える骨組が上下方向に無用に出ることがなくなり、物品獲得部の下降時に邪魔になることがないのである。物品載置板のレイアウトにも簡単に段差をつけたり、傾斜をつけたりすることが可能となった。
【図面の簡単な説明】
【００１６】
【図１】物品取得ゲーム装置の外観図である。
【図２】物品獲得ゲーム装置の天井部分の一部裁断斜視図である。
【図３】本物品獲得ゲーム装置の中央から左右に分割された展示室の物品載置部の骨組みの斜視図である。
【図４】図３の骨組みに載置板を嵌めた斜視図である。
【図５】正方形板の裏から見た斜視図である。
【図６】関節構造が2つのパイプ連結体である。
【図７】関節構造が１つのパイプ連結体である。
【図８】パイプ連結体の関節構造の分解斜視図である。
【図９】一方のジョイント部の三面図と斜視図である。
【図１０】ジョイント部の摺動体の三面図と斜視図である。
【図１１】クランプ体の平面図である。
【図１２】実施例２の物品載置部の斜視図である。
【図１３】実施例３の物品載置部の斜視図である。
【発明を実施するための形態】
【００１７】
本発明の実施例を図面に基づき詳細に説明する。以下、本願発明の実施例について述べる。
【００１８】
図１は本発明の物品取得ゲーム装置の外観図で、図２は物品取得ゲーム装置の天井部分の一部裁断斜視図である。物品取得ゲーム装置１００は、幅１．７ｍ、奥行き１ｍ、高さ2m程の外形寸法で、略直方体の基台１の上に箱型の展示室２が設けられ、この展示室２の前面及び側面は、透明な樹脂又はガラスの透明板３によって構成されている。
展示室２にはぬいぐるみ等の物品Ｐが収容されている。展示室２の下側は展示室２から落下した物品を受けて、手前中央に誘導するために左右が中央に、後方が手前に向けて傾斜し手前中央寄りに落下した物品を誘導して収納する物品収納部４が構成されている。
【００１９】
図２には物品取得ゲーム装置の天井部分の一部裁断斜視図を示している。
展示室の上側には、物品獲得部５が２ケ吊下げられ、この物品獲得部５は、内部上面から鉛直方向に吊下げられた伸縮パイプからなる支持部６と、その下端に設けられた把持部７とから構成されている。把持部７には物品を把持するための2本のアーム７ａ、７ｂが開閉可能に設けられている。物品獲得部５は、展示室２を左右に分割した空間内を移動することができる。
【００２０】
展示室の上方には物品獲得部５が移動するための横行用固定レール８が前後の左右方向に平行に取り付けられており、該横行用固定レール８の下には横行用固定レールに直交して縦行用可動レール９が左右に移動可能に掛け渡されている。そして縦行用レール９には物品獲得部基台１０が懸架され、前後に移動可能に取り付けられている。
物品獲得部基台１０には、物品獲得部５が昇降可能に取り付けられており、物品獲得部５を吊下げ昇降させる。横行用固定レール８、縦行用可動レール９は、展示室の天井部１１に配置されている。
【００２１】
展示室２は左右に分かれており、それぞれ略８０ｃｍ四方の面積を有し、展示室内の正面外側と中央側には高さが展示室の半分程度の前側支柱１２が立設されている。展示室の背面外側と中央側には天井部１１に至る後側支柱１３が立設されている。これらの支柱間には物品配置部１４が備えてある。
【００２２】
基台１の上部手前に張り出した操作卓１５には、左右の物品獲得部５を展示室内の左右の空間内で動かし、所望の物品の位置に導くための操作ボタン１６が左右にそれぞれ設けられている。操作卓は高さが０．７ｍ位置にあり、操作者が立った状態で透明板３を透過して展示室２を覗きながら、手で押せる位置にある。操作ボタンは、物品獲得部５のホームポジションである手前外側から横方向に移動させる第１ボタン１６ａ、第１ボタンの後、物品獲得部を奥行方向に移動させるための第２ボタン１６ｂ、第２ボタンの後、物品獲得部５の下降を止める第３ボタン１６ｃとが設けてある。
【００２３】
また中央寄りには、左右それぞれに対応した硬貨投入口や電子マネー受付部からなる料金入力部１７が設けてある。料金入力部１７にプレーするに必要な料金が入力されると、操作ボタン１６は押している間だけ、物品獲得部５を移動させることができ、第３ボタン１６ｃを押すことで、把持部７のアーム７ａ、７ｂが開き、把持部７が降下し、第３ボタン１６ｃを離すと把持部７の下降が止まり、アーム７ａ、７ｂが閉じる動作を行い、アーム７ａ、７ｂが閉じると把持部７が上昇し、物品獲得部５が手前に移動して、アーム７ａ、７ｂの開閉動作を行い、物品を掴んでいると物品収納部４に落下させ、ホームポジションに戻る一連の動作を行なう。
第３のボタンはオプションとしてもよく、第1のボタンと第２のボタンのみで物品獲得部５を水平移動させて、降下は自動としてもよい。
【００２４】
基台の下方左右には、方形の物品取出口１８が設けられ、物品取出口１８を塞ぐ扉１９が吊設されており、この扉１９を内側に押し上げることで、物品収納部４と連接し、操作者が手で扉１９を押し上げて物品収納部４に落下した物品を取り出すことができる。
【００２５】
図３には本物品獲得ゲーム装置の中央から左右に分割された展示室の物品載置部の骨組みの斜視図を示す。図４には図３の骨組みに長方形板及び正方形板を取り付けた斜視図を示す。
展示室２には、４隅に設けた前側支柱１２、１２、後側支柱１３、１３間に支持される枠体２０と、枠体２０に取り付けられる物品配置部材２１を備えている。枠体２０は前側支柱１２、後方支柱１４に取り付けられている。
【００２６】
この後方支柱1３、1３間に丸棒状の後方枠部材２２を掛け渡して、後方枠部材２２の両端にT字型のパイプつなぎ２３のＴ字の横部を嵌めて後方支柱に設けた被係合部１３ａにパイプつなぎ２３のＴ字の横部の突出を係合部２３ａとして係合する。後方側支柱１３には後方側支柱同士の対抗する側面に所定間隔で後方上側に向けて傾斜した切欠が鋸歯状に被係合部１３ａとして多数設けられている。この被係合部１３ａは横挽き用の窓鋸のさらい歯状になっている。
【００２７】
そして、後方支柱１３に掛け渡した後方枠部材の両端のパイプつなぎ２３のＴ字の縦部分２３ｂには、それぞれ手前側支柱に至る2本の丸棒状の側枠部材２４の後端２４ａを嵌入し、前記後方枠部材２２と同一平面状に取り付けられ、側枠部材２４の前端は係合部２４ｂとして手前支柱の被係合部１２ａに係合される。
手前側支柱１２の後方面には高さ方向に所定間隔で差込穴が多数設けてあり被係合部１２ａとして、前記側枠部材２４の前端の係合部２４ｂが挿入される。
【００２８】
これら手前側支柱の被係合部１２ａと後方支柱の被係合部１３ａ間に丸棒状の略コの字の形をした枠体２０を水平あるいは手前側に傾斜させてはめ込むことができる。略コの字で囲まれる面は略７５ｃｍ四方の正方形領域となる。
手前側はコの字の枠体２０が開いており、後方支柱の被係合部１３ａにはコの字の中央の横棒の両端の係合部２３ａが突出して嵌ることができる。枠体２０を傾斜させる場合にはコの字の両端が手前側支柱の後方支柱の係合部１３ａよりも低い位置にある被係合穴１２ａに挿入される状態で後方支柱のさらい歯の内側にコの字の中央の両端の突出した係合部２３ａが嵌る構造となっている。
【００２９】
コの字を形成する丸棒状の枠部材２２、２４は略１３ｍｍの同一径の円筒形であり、コの字の両側の対抗する側枠部材２４、２４間に同一径の棒状部材２５を直交して掛け渡し架設することができる。この棒状部材２５は両端にクランプ体２６を有しており、両側の側枠部材２４をクランプ体２６で挟持することでしっかりと固定することができる。
【００３０】
側枠部材２４、２４間の距離幅Ｌ１は７５ｃｍあり、該側枠部材２４、２４の間に棒状部材２５を架設し、後方枠部材２２から所定の距離Ｌ２の２５ｃｍよりやや短い距離にした位置にしてクランプ体２６で側枠部材２４、２４に固定する。
そして後方枠部材２２と棒状部材２５間には、物品を載置する正方形板２７や長方形板２８を取り付けることができる。正方形板２７は２５ｃｍ四方の面積寸法を有し、長方形板２８は幅７５ｃｍ、奥行き２５ｃｍの平面寸法である。
【００３１】
正方形板２７を3枚並べると長方形板２８の大きさになり、両側の側枠部材２４、２４間に配置することができる。
側枠部材間に本発明のパイプ連結体３０を二組使って中央部が一段と低く、左右両側がそれぞれ両側に向けて傾斜したパイプ連結を実現し、方形板を各パイプに架設している。
尚、パイプ連結体３０を二組使って、中央を一段と高くして、左右両側がそれぞれ中央側に向けて上り傾斜としたパイプ連結としても良い。こうして方形板を各パイプに架設するとで、前述した場合と逆に一段高い配置とすることができる。
【００３２】
図５には正方形板の裏側から見た斜視図を示す。長方形板でも裏面の構造は同じである。
各辺の下側に棒状部材２５の上半部を覆う程度の深さ１ｃｍ程の周縁２７ａが設けてあり、周縁の四隅近傍は一点鎖線で示した棒状部材２５が周縁２７ａに沿って位置できるように半円状に切欠２７ｂが縦方向と横方向にそれぞれ設けてある。
【００３３】
これにより長方形板２８や正方形板２７は後方枠部材２２や側枠部材２４、棒状部材２５の上側に前記切欠２７ｂを宛がうことで座置される。
また一点鎖線で図示した棒状部材２５に直交して後方枠部材２２や側枠部材２４を宛がう際には、直交する周縁２７ａに沿って設けた切欠２７ｂに宛がう。この場合の枠部材２２、２４を二点鎖線で示している。
【００３４】
正方形板２７の周縁２７ａに沿って棒状部材２５が前記切欠２７ｂに位置した際に、棒状部材２５を周縁２７ａとの間に棒状部材２５を挟持する脚部２７ｃが底に取り付けてある。脚部２７ｃは棒状部材２５に正方形板２７を宛がい押し込むことで脚部２７ｃが有する弾性力で正方形板２７を周縁２７ａとの間に挟持させることができる。
尚
【００３５】
図６には本発明の関節構造が2つのパイプ連結体を示す。図６（Ａ）は直線状にしたパイプ連結体の斜視図であり、図６（Ｂ）は関節構造で折り曲げた平面図を示している。
パイプ連結体３０は外側のパイプ３１と中央のパイプ３２をジョイント部３３で連結している。
ジョイント部３３によりジョイント部３３に接続された2本のパイプ３１，３２の成す角度は任意の角度に変えることができる。外側のパイプ３１の両端にはクランプ体４１が固着されており、パイプ３１を中心軸で回転させることでクランプ体４１の向きを変えることができる。
ジョイント部３３の両端にパイプ体３１、３１が位置し、該パイプ体の外端にクランプ体４１が取り付けられている。
尚、クランプ体４１は前出の棒状部材２５のクランプ体２６と同一であってもよい。
【００３６】
図７には本発明の関節構造が１つのパイプ連結体を示す。図７（Ａ）は直線状にしたパイプ連結体の斜視図であり、図７（Ｂ）は関節構造で折り曲げた平面図である。
【００３７】
図８には、本発明のパイプ連結体の関節構造の分解斜視図を示す。これは関節構造が１つのパイプ連結体、あるいは関節構造が２つあるパイプ連結体に共通する。
図９には一方のジョイント部の三面図と斜視図を示す。図１０にはジョイント部の摺動体の三面図と斜視図を示す。
【００３８】
2本のパイプ３１、３２を連結するジョイント部３３は、連結したパイプのなす角度を任意に変えることができると共に、連結したパイプ３１、３２自身を軸心を中心に回動することが構造となっている。
【００３９】
ジョイント部３３はナイロン樹脂製で直径２０ｍｍの球体を半径部で半割りし、直径１３ｍｍの円筒パイプ３１、３２を該球体の接線方向に接続する。
ジョイント部３３は球体を半割した半球体３４、３４同士が、半割面３４ｃに直交する球体の中心を貫通するネジ穴３５を有し、互いの半球体３４、３４は、外側からトラスネジ３６を摩擦が低いワッシャ３７を介して反対側の半球体３４に固定してあるナット３８に締める構造となっている。
一方の半球体３４は摩擦が低い樹脂ワッシャー３７とトラスネジ３６が埋め込まれる有底の円筒穴３４ａが設けてある。
【００４０】
他方の半球体３４の外面側には前記円筒穴３４ａに加えて六角のナイロンナット３８を半埋設する有底の六角穴３４ｂが設けてあり、ナット３８を埋設した状態に固定される。半球体３４、３４の半割面３４ｃは互いにトラスネジのネジ穴３５が開いており、ナイロンナット３８にトラスネジ３６を螺合することで半球体３４，３４の半割面３４ｃ、３４ｃ同士を摺接させ、回動可能としている。この構造によりナット３８の回転が固定されるので、ドライバ一本でトラスネジ３６を回すことで回動の調整が可能となっている。
【００４１】
各半球体３４、３４には半割面３４ｃの円周の接線方向に沿う形で円筒体３９が形成されている。
各半球体３４には半割面３４ｃの円周の接線方向に沿って直径１３ｍｍのパイプ３１又は３２が接続される円筒体３９が形成されるように、半割面３４ｃの円周の接線に円周端を有し、中心が半割面３４ｃ上に位置する円状基台３９ａが半球体３４の中心寄りに設けられる。
【００４２】
円状基台３９ａの半円体部分３９ｂは半球体の半割面３４ｃからはみ出て、他方の半球体の表面に摺接する凹面を有する構造になっている。
円筒体３９は、円筒体の軸心と同心の円状基台３９ａに形成されており、円状基台３９ａは、半球体と一体に形成されている。
【００４３】
円筒体３９は直径９ｍｍで長さが１７ｍｍの肉厚の筒体であり、円状基台３９ａの中心軸と同心に形成される。
該円筒体３９の円周部分には深さ１ｍｍの半円溝３９ｃが該円筒体を略三等分する位置に2ケ所に周設してあり、円筒体３９の円筒面には分割面の延長面上に沿って前記半円溝３９ｃに交差して円筒体の長さ方向に長さ１４ｍｍ、幅２ｍｍのスリット３９ｄが対向して2ケ所開口している。
【００４４】
前記円筒体３９の円周面に沿って、丸瓦状の２つの摺動体４０を円筒体３９で覆う。円状基台39a側に向けて鍔部４０ａを有する長さが１７ｍｍ、肉厚が１ｍｍの丸瓦状の半円筒体４０ｂが2ケで該円筒体３９を包持するように被せる。
半円筒体４０ｂの凹面には前記円筒体の半円溝３９ｃに対応する2条の突出条４０ｃが円周方向に沿って設けてある。さらに半円筒体の凸面側中央には丸孔４０ｄが設けてあり、摺動体４０の鍔部４０ａは円状基台３９ａ側に向けてあり、鍔部４０ａの外周は円状基台３９ａの円周に合わせてある。
【００４５】
２ケの摺動体４０，４０で、前記円筒体３９を包むように挟持し、ジョイント部３３に連結する内径が１２ｍｍのパイプ体３１又は３２の開口端３２ａを円筒部３９に被された摺動体４０の肉厚で外形が１２ｍｍとなった円柱体３９に挿入すると、円柱体３９が前記スリット３９ｄにより弾性変形しながら、摺動体の鍔部４０ａまで押し込むことができる。
【００４６】
すると、摺動体の丸孔４０ｄは円筒体３９を介して対称位置にあり、摺動体の前記丸孔４０ｄの位置でパイプ体３１又は３２を側面両側から丸孔４０ｄに対応する位置でカシメを打つことで、パイプ体３１又は３２の内側面に突起が形成され丸孔４０ｄに係合して密着し、パイプ体３１又は３２がジョイント部３３抜けるのを防止する。
【００４７】
上記の組み立てにより、パイプ体３１又は３２は摺動体の丸孔４０ｄに密着固定され、パイプ体３１又は３２を抜く方向に力を加えても、半円筒体４０ｂの凹面に円周方向に設けた突出条４０ｃが円筒体の半円溝３９ｃに嵌合しており、抜けることを防ぐのである。さらにパイプ体３１、３２を軸心でジョイント部３３に対して回転させることできる。パイプ体３１、３２は半円筒体の丸孔４０ｄにカシメで密着固定されているので、半円筒体４０ｂがパイプ体３１、３２と共にジョイント部３３の円筒体３９の外周面を摺接しながら回動する。
【００４８】
ジョイント部３３に挿着されたパイプ体３１、３２を接続する円筒体３９は半球体３４の円周の接線方向に取り付けており、ジョイント部３３の回動中心は半球体３４の中心からずれた位置にあるので、円周の接線側には略５０度の範囲で回動し、回動中心のネジ穴３５側には略１４０度の範囲で回動することが可能な構造になっている。
【００４９】
パイプの長さは関節が１つのみのパイプが2本の場合は２２６ｍｍとなっている。関節が２つの場合のパイプが3本の場合は、外側の2本のパイプの長さが同一で２２６ｍｍとなっており、中央のパイプが２５０ｍｍとなっている。
【００５０】
図１１には、パイプの外端に取り付けるクランプ体の側面図を示す。図１０（Ａ）はクランプ体を解放した状態の側面図であり、図１０（Ｂ）はクランプ体を閉じた状態の側面図である。
クランプ体４１は棒体を挟持する挟持部４２には棒体の外周を装着するＵ字溝４２ａを備え、Ｕ字底の径は１３ｍｍ幅で挟持部４２ａの片側に設けた回動軸４２ｂに、軸着したレバー体４３を閉じることで、レバー体のショルダー部４３ａが１３ｍｍ径の棒体の円周を挟み挟持して締着する構造となっている。
【００５１】
挟持部４２の他端には円柱体４２ｃが形成され、円柱体４２ｃの中心線はＵ字溝に嵌る棒体の中心Ｏに一致している。円柱体４２ｃには円周の縁の一部が切欠された凹部４２ｄが形成されており、パイプの外側が挟持部４２に当接するまで挿入され、凹部４２ｄの位置でパイプ体の側面にカシメを打ってパイプの内面を凹部４２ｄに凹ませて固定する。
【００５２】
(実施例２)
図１２は２軸の連結パイプ体を使った物品配置部の実施例２を示す
枠体２０は４隅に立設した前側支柱１２、後方支柱１３に２段にして取り付けられている。枠体２０の構造は図３に詳述した通りであり、後方枠部材２２はパイプつなぎ２３を介して後方支柱の被係合部１３ａに係合され、側枠部材２４は後方枠部材２２にパイプつなぎ２３を介して直交して接続され、側枠部材前端は前側支柱１２の被係合部１２ａに係合して、枠部材２０が水平に取り付けられている。
【００５３】
上段の枠体の側枠部材２４，２４間には棒状部材２５ａが長方形板２８を後方枠部材２２ａとの間に設置できるように架設しクランプ体で締結してある。その棒状部材２５ａに隣接してさらに棒状部材２５ｂが架設されている。
下段の枠体の側枠部材間２４、２４間の後方枠近傍に、棒状部材２５ｃが架設されている。
【００５４】
上段の棒状部材２５ｂの中央に正方形板を配置すべく２軸のパイプ連結体を２つ並列に正方形板に合わせて並べクランプ体２６を棒状部材２５ｂに嵌め入れ、パイプ連結体３０の上方のパイプ体３１を水平にして、パイプ連結体３０全体を７の字状にして下段の側枠部材間に配した棒状部材２５ｃにクランプ体を嵌め入れ、下方のジョンント部３３の両端のパイプ体３１、３２を直線状し、上方のジョイント部３３で棒状部材２５ｂなるように位置決めした後、各部材のクランプ体を締結し、骨組が完成する。
【００５５】
２本の連結パイプ体３０の上方の水平に配したパイプ体３１間に正方形板を取り付ける。
これにより全体で凸の字状の物品載置部ができる。このように物品搭載部により、図示しない物品獲得部のアームが不要な棒状部材がフィールド領域の上下方向にないので、動きに邪魔になることがないのである。
【００５６】
（実施例３）
図１３には実施例３として物品載置部の斜視図を示す。
枠体２０は４隅に立設した前側支柱１２、後方支柱１３に取り付けられている。枠体２０の構造は図３に詳述した通りであり、後方枠部材２２はパイプつなぎ２３を介して後方支柱の被係合部１３ａに係合され、側枠部材２４は後方枠部材２２にパイプつなぎ２３を介して直交して接続され、側枠部材前端は前側支柱１２の被係合部１２ａに係合して、枠部材２０が水平に取り付けられている。
【００５７】
さらに後方枠部材２２ａの両端に円筒状のキャップが係合部２３ａとして装着されており、前記枠体２０の位置から２５ｃｍ上方の位置で後方支柱１３の被係合部１３ａに係合し水平に取り付けてある。
【００５８】
上方の後方枠部材２２ａの左右を、下方に配した左右の側枠部材２４との間を、本発明のパイプ連結体３０ａを２本用いて左右それぞれＬ字状に直角に連結している。このパイプ連結体３０ａは、関節構造が一つであり、ジョイント部３３の両端には２２６ｍｍの長さのパイプ体３１を取り付けてあり、パイプ体３１の外側にはクランプ体４１が取りつけてある。
【００５９】
そして左右の２つのパイプ連結体３０ａの水平なパイプのジョイント部３３の端間を棒状体２５を架設して棒状体のクランプ体２６で締結する。これにより強固な骨組みが構成され、棒状体２５と後方枠部材２２ａには長方形板２８を載置する。ここでは長方形板２８の右側を切り欠いて図示している。
これにより従前なら枠体を２段組しなければできなかった壇状の物品載置部がシンプルに組立てられ、観た目もすっきりしている。
【００６０】
以上述べてきた実施例では、コの字状の枠体で囲まれる領域の面積は略７５ｃｍ四方とし、枠体間に棒状部材を架設し骨組を配置して、枠体部材や棒状部材間に正方形板２７や長方形板２８を取り付けており、長方形板は幅７５ｃｍ、奥行き２５ｃｍの平面寸法であり、正方形板は２５ｃｍ四方の平面寸法を有する実施例としてあり、枠体で囲まれる面積領域を、縦３、横３の格子状にして各格子の単位ブロックとして正方形板を説明し、長方形板は正方形板の３倍の面積を有する構成となっている。
【００６１】
この単位ブロックは正方領域を縦２、横２の格子状となるようにしても良いし、縦４、横４の格子状になるようにしても良い。無論、５以上の正方格子状にしてもよい。
そのためにコの字状の枠体に架設された棒状体で骨組配置を構成し、平行に配置された側枠部材間の第１の距離を保ち、側枠部材間に直交して掛け渡した２本の棒体間の距離を側枠部材間の距離を2以上の整数で割れる略距離に設定することで、方形板を配置することができる。
【００６２】
略距離としているのは、方形板を取り付けるにあたり、方形板の縁部内側に棒体を取り付ける構造としてあるので、実際に枠体領域に方形板を３×３を並べるには枠体間の３等分の位置に２本の棒体を近接して並べる必要があるからである。厳密には枠部材間の距離を２以上の整数で割った距離から方形板の縁の厚みと棒体の半径を引いた距離となる。
【００６３】
この構成とすることで、方形板がない領域は物品落下領域になり、方形板がある領域は物品を載置したり、傾斜させて物品を滑り易い状態に載置したりできる。
【００６４】
上述の通り本発明の好適な実施の形態により本発明を説明した。特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００６５】
１００  物品取得ゲーム装置
１  基台
２  展示室
３  透明板
４  物品収納部
５  物品獲得部
６  支持部
７  アーム
８  横行用固定レール
９  縦行用固定レール
１０  物品獲得部基台
１１  天井部
１２  前側支柱
１３  後方支柱
１４  物品配置部
１５  操作卓
１６  操作ボタン
１７  料金入力部
１８  物品取出口
１９  扉
２０  枠体
２１  物品配置部
２２  後方枠部材
２３  パイプつなぎ
２４  側枠部材
２５  棒状部材
２６  クランプ体
２７  正方形板
２８  長方形板
３０  パイプ連結体
３１  パイプ
３２  パイプ
３３  ジョイント部
３４  半球体
３５  ネジ穴
３６  トラスネジ
３７  ワッシャー
３８  ナット
３９  円筒体
４０  摺動体
４１  クランプ体
４２  挟持部
４３  レバー体
【図１】
0005614025.tif 000002
【図２】
0005614025.tif 000003
【図３】
0005614025.tif 000004
【図４】
0005614025.tif 000005
【図５】
0005614025.tif 000006
【図６】
0005614025.tif 000007
【図７】
0005614025.tif 000008
【図８】
0005614025.tif 000009
【図９】
0005614025.tif 000010
【図１０】
0005614025.tif 000011
【図１１】
0005614025.tif 000012
【図１２】
0005614025.tif 000013
【図１３】
0005614025.tif 000014